(57)【特許請求の範囲】
【請求項１】
携帯電話網と通信可能な第１サーバと、無線ＬＡＮと通信可能であり且つ前記第１サーバと通信可能な第２サーバを有する通信システムにおける携帯端末による前記無線ＬＡＮへの接続方法であって、
前記第２サーバが、前記携帯端末から前記無線ＬＡＮへの接続を要求された場合に、前記携帯端末に対して前記第１サーバへの所定の電話番号による発信をアクセス方法として送信し、
前記アクセス方法による前記携帯端末からの発信が、前記携帯端末が前記携帯電話網にローミングされている場合に限って、前記携帯端末から前記第１サーバに中継され、
前記第１サーバが、前記アクセス方法による前記携帯端末からの発信を受信した場合に、前記携帯端末が前記携帯電話網にローミングされているという条件が満たされているとみなし、前記携帯端末の識別情報を前記第２サーバに送信し、
前記第２サーバが、前記第１サーバから前記携帯端末の識別情報を受信した場合に、前記携帯端末による前記無線ＬＡＮへの接続を許可するためのパスワードを有効化する、
ことを含むことを特徴とする接続方法。
【請求項２】
前記パスワードの有効化は、前記第２サーバが前記第１サーバを介して前記パスワードを前記携帯端末に送信することである、請求項１に記載の接続方法。
【請求項３】
前記パスワードの有効化は、前記第２サーバが前記携帯端末に前記アクセス方法とともに送信した前記パスワードを有効化することである、請求項１に記載の接続方法。
【請求項４】
前記無線ＬＡＮは複数存在し、前記複数の無線ＬＡＮ毎に前記所定の電話番号が設定されている、請求項１に記載の接続方法。
【請求項５】
携帯電話網と通信可能な第１サーバと、無線ＬＡＮと通信可能であり且つ前記第１サーバと通信可能な第２サーバを有する通信システムであって、
前記第２サーバは、
携帯端末から前記無線ＬＡＮへの接続を要求された場合に、前記携帯端末に対して前記第１サーバへの所定の電話番号による発信をアクセス方法として前記携帯端末に送信する第２送信部と、
前記第１サーバから前記携帯端末の識別情報を受信した場合に、前記携帯端末による前記無線ＬＡＮへの接続を許可するためのパスワードを有効化する第２制御部と、を備え、
前記第１サーバは、
前記アクセス方法による前記携帯端末からの発信を受信した場合に、前記携帯端末が前記携帯電話網にローミングされているという条件が満たされているとみなし、前記携帯端末の識別情報を前記第２サーバに送信する第１送信部と、を備え、
前記アクセス方法による前記携帯端末からの発信が、前記携帯端末が前記携帯電話網にローミングされている場合に限って、前記携帯端末から前記第１サーバに中継される、
ことを特徴とする通信システム。
【発明の詳細な説明】
【技術分野】
【０００１】
本発明は、通信システム及び接続方法に関する。
【背景技術】
【０００２】
近年、携帯電話網、無線ＬＡＮ（Local Area Network）等、複数の種類の通信ネットワークへの接続機能を有する携帯端末が普及しつつある。例えば、このような携帯端末を利用する外国人が訪日し、日本を観光する場合、その外国人観光客は、日本の観光に関する情報を、高額な通信料金を支払う必要がある携帯電話網を使用せずに、無料の無線ＬＡＮを用いて取得することができる。
【０００３】
例えば、非特許文献１〜２には、無料の無線ＬＡＮに接続するためのアプリケーションを外国人観光客の携帯端末にダウンロードさせて本人認証することにより、その携帯端末を無線ＬＡＮに接続可能にする方式が提案されている。
【先行技術文献】
【非特許文献】
【０００４】
【非特許文献１】”Japan Connected Free Wi-Fi”、［online］、［平成２７年３月１８日検索］、インターネット＜URL：http://www.ntt-bp.net/jcfw/ja.html＞
【非特許文献２】”TRAVEL JAPAN Wi-Fi”、［online］、［平成２７年３月１８日検索］、インターネット＜URL：http://wi2.co.jp/tjw/english.html＞
【発明の概要】
【発明が解決しようとする課題】
【０００５】
しかしながら、無料の無線ＬＡＮに接続するためのアプリケーションをダウンロードして本人認証するためには複雑な操作が必要となり、外国人観光客は、無料の無線ＬＡＮに接続するために多大な労力及び時間を必要とする場合があった。
【０００６】
本発明は、このような従来の課題を解決すべくなされたものであり、携帯端末の利用者が容易に無線ＬＡＮへ接続できるようにする通信システム及び接続方法を提供することを目的とする。
【課題を解決するための手段】
【０００７】
本発明に係る接続方法は、携帯電話網と通信可能な第１サーバと、無線ＬＡＮと通信可能であり且つ第１サーバと通信可能な第２サーバを有する通信システムにおける携帯端末による無線ＬＡＮへの接続方法であって、第２サーバが、携帯端末から無線ＬＡＮへの接続を要求された場合に、携帯端末に対して第１サーバへのアクセス方法を送信し、第１サーバが、携帯端末からアクセス方法による通信を受信した場合に、携帯端末が携帯電話網にローミングされていることを条件に、携帯端末の識別情報を第２サーバに送信し、第２サーバが、第１サーバから携帯端末の識別情報を受信した場合に、携帯端末による無線ＬＡＮへの接続を許可するためのパスワードを有効化することを含む。
【０００８】
また、本発明に係る接続方法において、パスワードの有効化は、第２サーバが第１サーバを介してパスワードを携帯端末に送信することであることが好ましい。
【０００９】
また、本発明に係る接続方法において、パスワードの有効化は、第２サーバが携帯端末にアクセス方法とともに送信したパスワードを有効化することであることが好ましい。
【００１０】
また、本発明に係る接続方法において、アクセス方法は、携帯端末から第１サーバへの所定の電話番号による発信であることが好ましい。
【００１１】
また、本発明に係る接続方法において、無線ＬＡＮは複数存在し、複数の無線ＬＡＮ毎に所定の電話番号が設定されていることが好ましい。
【００１２】
また、本発明に係る接続方法において、アクセス方法は、携帯端末から第１サーバに対応した所定のＵＲＬへのアクセスであることが好ましい。
【００１３】
また、本発明に係る接続方法において、無線ＬＡＮは複数存在し、複数の無線ＬＡＮ毎に所定のＵＲＬが設定されていることが好ましい。
【００１４】
また、本発明に係る接続方法において、アクセス方法による通信は、携帯端末が携帯電話網にローミングされている場合に限り、携帯端末から第１サーバに中継され、第１サーバは、携帯端末からアクセス方法による通信を受信した場合に、条件が満たされているとみなすことが好ましい。
【００１５】
また、本発明に係る接続方法において、通信システムは、携帯電話網にローミングされている携帯端末の識別情報を記憶する第３サーバをさらに有し、第１サーバが、携帯端末の識別情報が携帯電話網にローミングされている携帯端末の識別情報として第３サーバに記憶されているか否かによって、条件が満たされているか否かを判定することが好ましい。
【００１６】
本発明に係る通信システムは、携帯電話網と通信可能な第１サーバと、無線ＬＡＮと通信可能であり且つ第１サーバと通信可能な第２サーバを有する通信システムであって、第２サーバは、携帯端末から無線ＬＡＮへの接続を要求された場合に、携帯端末に対して第１サーバへのアクセス方法を携帯端末に送信する第２送信部と、第１サーバから携帯端末の識別情報を受信した場合に、携帯端末による無線ＬＡＮへの接続を許可するためのパスワードを有効化する第２制御部と、を備え、第１サーバは、携帯端末からアクセス方法による通信を受信した場合に、携帯端末が携帯電話網にローミングされていることを条件に、携帯端末の識別情報を第２サーバに送信する第１送信部とを備える。
【発明の効果】
【００１７】
本発明に係る通信システム及び接続方法によれば、携帯端末の利用者は、容易に無線ＬＡＮへ接続できるようになる。
【００１８】
また、携帯端末から第１サーバへのアクセス方法を所定の電話番号による発信とすることにより、発信者番号通知で通知される電話番号は詐称されえず、発信者本人のトレーサビリティが確保されるため、本人認証のセキュリティ性を保証することができる。
【図面の簡単な説明】
【００１９】
【図１】通信システム１の概略を説明するための模式図である。
【図２】通信システム１の概略構成の一例を示す図である。
【図３】携帯端末２の概略構成の一例を示す図である。
【図４】第１サーバ３の概略構成の一例を示す図である。
【図５】（ａ）は第２サーバ４の概略構成の一例を示す図であり、（ｂ）は認証情報テーブルのデータ構造の一例を示す図である。
【図６】（ａ）は第３サーバ５の概略構成の一例を示す図であり、（ｂ）はローミング管理テーブルのデータ構造の一例を示す図である。
【図７】通信システム１の動作シーケンスの一例を示す図である。
【図８】他の通信システム１の概略を説明するための模式図である。
【図９】他の通信システム１の動作シーケンスの一例を示す図である。
【図１０】さらに他の通信システム１の概略を説明するための模式図である。
【図１１】さらに他の通信システム１の動作シーケンスの一例を示す図である。
【図１２】（ａ）〜（ｃ）は、携帯端末２に表示される画面の一例を示す図である。
【図１３】（ａ）、（ｂ）は、携帯端末２に表示される画面の一例を示す図である。
【図１４】（ａ）〜（ｃ）は、携帯端末２に表示される画面の一例を示す図である。
【発明を実施するための形態】
【００２０】
以下、図面を参照しつつ、本発明の様々な実施形態について説明する。ただし、本発明の技術的な範囲はそれらの実施形態に限定されず、特許請求の範囲に記載された発明とその均等物に及ぶ点に留意されたい。
【００２１】
（第１実施形態）
図１は、第１実施形態における通信システム１の概略を説明するための模式図である。通信システム１は、携帯端末２と、第１サーバ３と、第２サーバ４と、第３サーバ５と、認証サーバ６とを有する。
【００２２】
第１サーバ３は、携帯端末２と通話を行う音声自動応答サーバである。第２サーバ４は、携帯端末２のＷｉＦｉ（Wireless Fidelity）等の無線ＬＡＮ１５の使用を管理するフロントエンドサーバであり、第１サーバ３と通信可能である。第３サーバ５は、携帯電話網１４に国際ローミングされている携帯端末２の電話番号を記憶するＨＬＲ（Home Location Register）であり、携帯電話網１４内に配置される。交換機７は、多対多の電気通信において、伝送路間の接続を切り替え、通信回線を構成する通信機器であり、携帯電話網１４内に配置される。認証サーバ６は、携帯端末２が無線ＬＡＮへ接続するためのＩＤ及びパスワードを管理するサーバであり、無線ＬＡＮ１５内に配置される。
【００２３】
まず、携帯端末２は、第２サーバ４に無線ＬＡＮ１５への接続を要求する接続要求を送信する。第２サーバ４は、携帯端末２から無線ＬＡＮ１５への接続を要求された場合、携帯端末２に対して第１サーバ３へのアクセス方法を送信する（１）。第１実施形態では、第１サーバ３へのアクセス方法は、携帯端末２から第１サーバ３への所定の電話番号による発信である。所定の電話番号は、例えば無線ＬＡＮ１５への接続を要求するための特番である。特番とは、通常の電話番号とは用途が異なる特殊番号（例えば*1234）の電話番号である。なお、所定の電話番号は、例えばフリーダイヤル（登録商標）又はナビダイヤル（登録商標）でもよい。次に、携帯端末２は、第２サーバ４から受信した、第１サーバ３へのアクセス方法による通信、すなわち、第１サーバ３への特番による発信を行う（２）。
【００２４】
次に、交換機７は、携帯端末２から特番による発信を受けた場合、携帯端末２の電話番号が、携帯電話網１４に国際ローミングされている携帯端末２の電話番号として第３サーバ５に記憶されているか否かの判定を要求する判定要求を第３サーバ５に送信する。第３サーバ５は、携帯端末２の電話番号が、携帯電話網１４に国際ローミングされている携帯端末２の電話番号として第３サーバ５に記憶されているか否かを示す判定結果を交換機７に送信する（３）。交換機７は、第３サーバ５から受信した判定結果に基づいて、携帯端末２が携帯電話網１４に国際ローミングされているか否かを判定する。交換機７は、携帯端末２が携帯電話網１４に国際ローミングされていると判定された場合、携帯端末２からの特番による発信を第１サーバ３に中継する（４）。第１サーバ３は、交換機７により中継された特番による発信を受けた場合、携帯端末２が携帯電話網１４にローミングされているという条件が満たされているとみなし、携帯端末２の電話番号とともにパスワード生成要求を第２サーバ４に送信する（５）。このように、第１サーバ３は、携帯端末２が携帯電話網１４にローミングされていることを条件に、携帯端末２の電話番号とともにパスワード生成要求を第２サーバ４に送信する。
【００２５】
次に、第２サーバ４は、第１サーバ３から携帯端末２の電話番号及びパスワード生成要求を受信した場合、携帯端末２の電話番号に対応するパスワードを生成し、生成したパスワードを第１サーバ３に送信する（６）。
【００２６】
次に、第１サーバ３は、第２サーバ４から受信したパスワードを、交換機７を介して携帯端末２に音声で通知する（７）。このように、第１実施形態では、第２サーバ４は、無線ＬＡＮ１５への接続を許可するためのパスワードを、第１サーバ３を介して携帯端末２に送信することにより、携帯端末２による無線ＬＡＮ１５への接続を許可するためのパスワードを有効化する。
【００２７】
次に、携帯端末２は、携帯端末２の電話番号及び受信したパスワードとともに無線ＬＡＮ１５へのログイン要求を第２サーバ４に送信する（８）。
【００２８】
次に、第２サーバ４は、ログイン要求を受信した場合、電話番号及びパスワードを用いて携帯端末２を認証し、認証に成功した場合、その電話番号及びパスワードを認証サーバ６に登録する（９）。これにより、以後、携帯端末２は、認証サーバ６に登録された電話番号及びパスワードを用いて、無線ＬＡＮ１５に接続することができる。
【００２９】
上述のとおり、通信システム１は、携帯端末２が携帯電話網１４に国際ローミングされていることを条件に、携帯端末２による無線ＬＡＮ１５への接続を許可する。携帯電話網１４に国際ローミングしている携帯端末２は、第２サーバ４から通知された特番による発信を行うだけで、容易に無線ＬＡＮを使用できるようになる。
【００３０】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明及び本明細書の開示範囲に含まれる。
【００３１】
図２は、通信システム１の概略構成の一例を示す図である。
【００３２】
通信システム１は、携帯端末２と、第１サーバ３と、第２サーバ４とを有する。さらに、通信システム１は、携帯電話網１４と、無線ＬＡＮ１５と、インターネット１６と、第１通信ネットワーク１７と、第２通信ネットワーク１８と、第３通信ネットワーク１９とを有する。携帯電話網１４は、第３サーバ５と、交換機７と、第１ゲートウェイ９と、基地局１２とを有する。無線ＬＡＮ１５は、認証サーバ６と、アクセスポイントコントローラ８と、第２ゲートウェイ１０と、第３ゲートウェイ１１と、アクセスポイント１３とを有する。第１通信ネットワークは、通信を中継するネットワークであり、例えば電話回線網である。また、第２通信ネットワーク１８及び第３通信ネットワーク１９は、通信を中継するネットワークであり、例えばインターネット、イントラネット又は専用線等である。
【００３３】
第１サーバ３は、第１通信ネットワーク１７を介して携帯電話網１４と接続され、さらに、第１ゲートウェイ９及び交換機７を介して第３サーバ５に接続される。携帯端末２は、基地局１２、交換機７、第１ゲートウェイ９及び第１通信ネットワーク１７を介して第１サーバ３と接続される。
【００３４】
また、第２サーバ４は、第３通信ネットワーク１９を介して無線ＬＡＮ１５と接続され、さらに、第２ゲートウェイ１０及びアクセスポイントコントローラ８を介して認証サーバ６に接続される。アクセスポイント１３は、携帯端末２と無線ＬＡＮ通信方式に従った無線通信を行う。アクセスポイントコントローラ８は、アクセスポイント１３を管理する。携帯端末２は、アクセスポイント１３、アクセスポイントコントローラ８、第２ゲートウェイ１０及び第３通信ネットワーク１９を介して第２サーバ４と接続される。さらに、無線ＬＡＮ１５は、第３ゲートウェイ１１を介してインターネット１６と接続される。また、第１サーバ３は、第２通信ネットワーク１８を介して第２サーバ４と接続される。
【００３５】
認証サーバ６は、例えば、Ｒａｄｉｕｓサーバである。携帯端末２は、認証サーバ６に登録された識別情報及びパスワードを用いることにより、無線ＬＡＮ１５、第３ゲートウェイ１１を介して、インターネット１６に接続することができる。
【００３６】
図３は、携帯端末２の概略構成の一例を示す図である。
【００３７】
携帯端末２は、携帯電話通信機能及び無線ＬＡＮ通信機能を有する通信装置であり、例えば、携帯電話、携帯情報端末（Personal Digital Assistant, PDA）、タブレットＰＣ（Personal Computer）等である。携帯端末２は、無線ＬＡＮ通信部２１と、携帯電話通信部２２と、端末記憶部２３と、操作部２４と、表示部２５と、端末制御部２７とを有する。
【００３８】
無線ＬＡＮ通信部２１は、主に、２．４ＧＨｚ帯、５ＧＨｚ帯等を感受帯域とするアンテナを含む、通信インターフェース回路を有し、アクセスポイント１３との間でＩＥＥＥ（The Institute of Electrical and Electronics Engineers, Inc.）８０２．１１規格の無線通信方式に基づいて無線通信を行う。そして、無線ＬＡＮ通信部２１は、アクセスポイント１３から受信したデータを端末制御部２７に与える。また、無線ＬＡＮ通信部２１は、端末制御部２７から与えられたデータを、アクセスポイント１３に送信する。
【００３９】
携帯電話通信部２２は、主に２．１ＧＨｚ帯を感受帯域とするアンテナを含む、通信インターフェース回路を有し、携帯端末２を携帯電話網１４に接続する。携帯電話通信部２２は、基地局１２により割り当てられるチャネルを介して、基地局１２との間でＣＤＭＡ（Code Division Multiple Access）方式等による無線信号回線を確立し、基地局１２との間で通信を行う。そして、携帯電話通信部２２は、基地局１２から受信したデータを端末制御部２７に与える。また、携帯電話通信部２２は、端末制御部２７から供給されたデータを基地局１２に送信する。
【００４０】
端末記憶部２３は、例えば、半導体メモリ、磁気ディスク装置、及び光ディスク装置のうちの少なくともいずれか一つを有する。端末記憶部２３は、端末制御部２７での処理に用いられるドライバプログラム、オペレーティングシステムプログラム、アプリケーションプログラム、データ等を記憶する。各プログラムは、例えばＣＤ−ＲＯＭ（compact disk read only memory）、ＤＶＤ−ＲＯＭ（digital versatile disk read only memory）等のコンピュータ読み取り可能な可搬型記録媒体から、公知のセットアッププログラム等を用いて端末記憶部２３にインストールされてもよい。
【００４１】
また、端末記憶部２３は、データとして、アクセスポイント１３のＥＳＳＩＤ（Extended Service Set Identifier）、携帯端末２の識別情報、画像データ等を記憶する。携帯端末２の識別情報は、例えば、携帯端末２の電話番号、端末毎に割り当てられた端末ＩＤ、ＳＩＭ（Subscriber Identity Module）カードＩＤ等である。さらに、端末記憶部２３は、所定の処理に係る一時的なデータを一時的に記憶してもよい。
【００４２】
操作部２４は、携帯端末２の操作が可能であればどのようなデバイスでもよく、例えば、タッチパッド、キーボード等である。利用者は、このデバイスを用いて、文字、数字等を入力することができる。操作部２４は、利用者により操作されると、その操作に対応する信号を発生する。そして、発生した信号は、利用者の指示として、端末制御部２７に入力される。
【００４３】
表示部２５も、映像、画像等の表示が可能であればどのようなデバイスでもよく、例えば、液晶ディスプレイ、有機ＥＬ（Electro−Luminescence）ディスプレイ等である。表示部２５は、端末制御部２７から供給される映像データに応じた映像、画像データに応じた画像等を表示する。
【００４４】
音声出力部２６は、音声の出力が可能であればどのようなデバイスでもよく、例えば、スピーカー等である。音声出力部２６は、端末制御部２７から供給される音声データに応じた音声等を出力する。
【００４５】
端末制御部２７は、一又は複数個のプロセッサ及びその周辺回路を有する。端末制御部２７は、携帯端末２の全体的な動作を統括的に制御するものであり、例えば、ＣＰＵ（Central Processing Unit）である。端末制御部２７は、携帯端末２の各種処理が端末記憶部２３に記憶されているプログラム、操作部２４の操作等に応じて適切な手順で実行されるように、無線ＬＡＮ通信部２１、携帯電話通信部２２、表示部２５等の動作を制御する。端末制御部２７は、端末記憶部２３に記憶されているプログラム（ドライバプログラム、オペレーティングシステムプログラム、アプリケーションプログラム等）に基づいて処理を実行する。また、端末制御部２７は、複数のプログラム（アプリケーションプログラム等）を並列に実行することができる。
【００４６】
端末制御部２７は、処理部２７１を有する。処理部２７１は、端末制御部２７が有するプロセッサ上で実行されるプログラムによって実装される機能モジュールである。なお、処理部２７１は、独立した集積回路、マイクロプロセッサ、又はファームウェアとして携帯端末２に実装されてもよい。
【００４７】
図４は、第１サーバ３の概略構成の一例を示す図である。
【００４８】
第１サーバ３は、例えば、携帯端末２と通話を行う音声自動応答サーバである。第１サーバ３は、第１サーバ通信部３１と、第１サーバ音声通信部３２と、第１サーバ記憶部３３と、第１サーバ制御部３４とを備える。
【００４９】
第１サーバ通信部３１は、第１サーバ３を第２通信ネットワーク１８に接続するための通信インターフェース回路を備え、第２通信ネットワーク１８との間で通信を行う。第１サーバ通信部３１は、例えば、イーサネット（登録商標）等の有線ＬＡＮのインターフェース回路を有し、第２通信ネットワーク１８との間で有線通信を行う。第１サーバ通信部３１は、第２サーバ４、第３サーバ５等から受信したデータを、第１サーバ制御部３４に供給する。また、第１サーバ通信部３１は、第１サーバ制御部３４から供給されたデータを第２サーバ４、第３サーバ５等に送信する。
【００５０】
第１サーバ音声通信部３２は、第１サーバ３を第１通信ネットワーク１７に接続し、電話回線を利用した通信を行うための通信インターフェース回路を有し、第１サーバ３を、第１通信ネットワーク１７を介して携帯電話網１４に接続する。第１サーバ音声通信部３２は、携帯電話網１４を介して携帯端末２から受信したデータを、第１サーバ制御部３４に供給する。また、第１サーバ音声通信部３２は、第１サーバ制御部３４から供給されたデータを、携帯電話網１４を介して携帯端末２等に送信する。
【００５１】
第１サーバ記憶部３３は、例えば、磁気テープ装置、磁気ディスク装置、又は光ディスク装置のうちの少なくともいずれか一つを備える。第１サーバ記憶部３３は、第１サーバ制御部３４での処理に用いられるオペレーティングシステムプログラム、ドライバプログラム、アプリケーションプログラム、データ等を記憶する。各プログラムは、例えばＣＤ−ＲＯＭ、ＤＶＤ−ＲＯＭ等のコンピュータ読み取り可能な可搬型記録媒体から、公知のセットアッププログラム等を用いて第１サーバ記憶部３３にインストールされてもよい。
【００５２】
また、第１サーバ記憶部３３は、データとして、携帯端末２が各無線ＬＡＮ１５の使用を要求する際に発信する、携帯電話網１４内の特番を記憶する。さらに、第１サーバ記憶部３３は、所定の処理に係る一時的なデータを一時的に記憶してもよい。
【００５３】
第１サーバ制御部３４は、一又は複数個のプロセッサ及びその周辺回路を備える。第１サーバ制御部３４は、第１サーバ３の全体的な動作を統括的に制御するものであり、例えば、ＣＰＵである。第１サーバ制御部３４は、第１サーバ３の各種処理が第１サーバ記憶部３３に記憶されているプログラム等に応じて適切な手順で実行されるように、第１サーバ通信部３１、第１サーバ音声通信部３２等の動作を制御する。第１サーバ制御部３４は、第１サーバ記憶部３３に記憶されているプログラム（オペレーティングシステムプログラム、ドライバプログラム、アプリケーションプログラム等）に基づいて処理を実行する。また、第１サーバ制御部３４は、複数のプログラム（アプリケーションプログラム等）を並列に実行することができる。
【００５４】
第１サーバ制御部３４は、第１制御部３４１及び第１送信部３４２を有する。第１サーバ制御部３４が有するこれらの各部は、第１サーバ制御部３４が有するプロセッサ上で実行されるプログラムによって実装される機能モジュールである。あるいは、第１サーバ制御部３４が有するこれらの各部は、独立した集積回路、マイクロプロセッサ、又はファームウェアとして第１サーバ制御部３４に実装されてもよい。
【００５５】
図５（ａ）は、第２サーバ４の概略構成の一例を示す図である。
【００５６】
第２サーバ４は、例えば、携帯端末２の無線ＬＡＮ１５への接続を管理するフロントエンドサーバである。第２サーバ４は、第２サーバ通信部４１と、第２サーバ記憶部４２と、第２サーバ制御部４３とを備える。
【００５７】
第２サーバ通信部４１は、第２サーバ４を、第２通信ネットワーク１８に接続するための通信インターフェース回路を備え、第２通信ネットワーク１８との間で通信を行う。さらに、第２サーバ通信部４１は、第２サーバ４を、第３通信ネットワーク１９に接続するための通信インターフェース回路を備え、第３通信ネットワーク１９との間で通信を行う。第２サーバ通信部４１は、携帯端末２等から受信したデータを、第２サーバ制御部４３に供給する。また、第２サーバ通信部４１は、第２サーバ制御部４３から供給されたデータを携帯端末２等に送信する。
【００５８】
第２サーバ記憶部４２は、例えば、磁気テープ装置、磁気ディスク装置、又は光ディスク装置のうちの少なくともいずれか一つを備える。第２サーバ記憶部４２は、第２サーバ制御部４３での処理に用いられるオペレーティングシステムプログラム、ドライバプログラム、アプリケーションプログラム、データ等を記憶する。各プログラムは、例えばＣＤ−ＲＯＭ、ＤＶＤ−ＲＯＭ等のコンピュータ読み取り可能な可搬型記録媒体から、公知のセットアッププログラム等を用いて第２サーバ記憶部４２にインストールされてもよい。
【００５９】
また、第２サーバ記憶部４２は、データとして、認証情報テーブル（図５（ｂ））等を記憶する。また、第２サーバ記憶部４２は、データとして、無線ＬＡＮ１５への接続を要求するための携帯電話網１４内の特番を記憶する。さらに、第２サーバ記憶部４２は、所定の処理に係る一時的なデータを一時的に記憶してもよい。
【００６０】
図５（ｂ）は、認証情報テーブルのデータ構造の一例を示す図である。
【００６１】
認証情報テーブルは、無線ＬＡＮ１５への接続を要求している携帯端末２の国番号、各国内番号及びパスワード等を一時的に記憶する。国番号は、国際電話をかける際に必要となる国を識別するための数字である。また、各国内番号とは各国内で使用される電話番号とする。ここで、利用者が、様々な国出身であることが想定される。したがって、利用者の利用する各国の電話番号が重複せず一意に識別されるために、電話番号は、国番号に各国内番号を付け加えたものとする。なお、電話番号は、これに限定されず、利用者の利用する各国の電話番号が重複せず一意に識別されれば、どのような番号であってもよい。
【００６２】
第２サーバ制御部４３は、一又は複数個のプロセッサ及びその周辺回路を備える。第２サーバ制御部４３は、第２サーバ４の全体的な動作を統括的に制御するものであり、例えば、ＣＰＵである。第２サーバ制御部４３は、第２サーバ４の各種処理が第２サーバ記憶部４２に記憶されているプログラム等に応じて適切な手順で実行されるように、第２サーバ通信部４１等の動作を制御する。第２サーバ制御部４３は、第２サーバ記憶部４２に記憶されているプログラム（オペレーティングシステムプログラム、ドライバプログラム、アプリケーションプログラム等）に基づいて処理を実行する。また、第２サーバ制御部４３は、複数のプログラム（アプリケーションプログラム等）を並列に実行することができる。
【００６３】
第２サーバ制御部４３は、第２送信部４３１及び第２制御部４３２を有する。第２サーバ制御部４３が有するこれらの各部は、第２サーバ制御部４３が有するプロセッサ上で実行されるプログラムによって実装される機能モジュールである。あるいは、第２サーバ制御部４３が有するこれらの各部は、独立した集積回路、マイクロプロセッサ、又はファームウェアとして第２サーバ制御部４３に実装されてもよい。
【００６４】
図６（ａ）は、第３サーバ５の概略構成の一例を示す図である。
【００６５】
第３サーバ５は、例えば、携帯電話網１４に国際ローミングされている携帯端末の電話番号を記憶するＨＬＲである。第３サーバ５は、第３サーバ通信部５１と、第３サーバ記憶部５２と、第３サーバ制御部５３とを備える。
【００６６】
第３サーバ通信部５１は、第３サーバ５を交換機７に接続するための通信インターフェース回路を備え、交換機７を介して第１サーバ３との間で通信を行う。第３サーバ通信部５１は、第１サーバ３等から受信したデータを、第３サーバ制御部５３に供給する。また、第３サーバ通信部５１は、第３サーバ制御部５３から供給されたデータを、第１サーバ３等に送信する。
【００６７】
第３サーバ記憶部５２は、例えば、磁気テープ装置、磁気ディスク装置、又は光ディスク装置のうちの少なくともいずれか一つを備える。第３サーバ記憶部５２は、第３サーバ制御部５３での処理に用いられるオペレーティングシステムプログラム、ドライバプログラム、アプリケーションプログラム、データ等を記憶する。各プログラムは、例えばＣＤ−ＲＯＭ、ＤＶＤ−ＲＯＭ等のコンピュータ読み取り可能な可搬型記録媒体から、公知のセットアッププログラム等を用いて第３サーバ記憶部５２にインストールされてもよい。また、第３サーバ記憶部５２は、データとして、ローミング管理テーブル（図６（ｂ））等を記憶する。さらに、第３サーバ記憶部５２は、データとして、携帯電話網１４の加入者の電話番号等を記憶する。さらに、第３サーバ記憶部５２は、所定の処理に係る一時的なデータを一時的に記憶してもよい。
【００６８】
図６（ｂ）は、ローミング管理テーブルのデータ構造の一例を示す図である。
【００６９】
ローミング管理テーブルは、携帯電話網１４に国際ローミングされている携帯端末毎に、当該携帯端末の国番号、各国内番号、国際ローミング番号及び国際ローミングフラグ等を記憶する。国際ローミング番号は、携帯端末２が携帯電話網１４に国際ローミングされている場合に、携帯電話の着信処理のために一時的に割り当てられる電話番号である。国際ローミングフラグは、携帯端末２が携帯電話網１４に国際ローミングされているか否かを表すフラグである。すなわち、国際ローミングフラグは、携帯端末２が携帯電話網１４に国際ローミングされている場合に「True」となり、携帯端末２が携帯電話網１４に国際ローミングされていない場合に「False」となるフラグである。
【００７０】
第３サーバ制御部５３は、一又は複数個のプロセッサ及びその周辺回路を備える。第３サーバ制御部５３は、第３サーバ５の全体的な動作を統括的に制御するものであり、例えば、ＣＰＵである。第３サーバ制御部５３は、第３サーバ５の各種処理が第３サーバ記憶部５２に記憶されているプログラム等に応じて適切な手順で実行されるように、第３サーバ通信部５１等の動作を制御する。第３サーバ制御部５３は、第３サーバ記憶部５２に記憶されているプログラム（オペレーティングシステムプログラム、ドライバプログラム、アプリケーションプログラム等）に基づいて処理を実行する。また、第３サーバ制御部５３は、複数のプログラム（アプリケーションプログラム等）を並列に実行することができる。
【００７１】
第３サーバ制御部５３は、処理部５３１を有する。処理部５３１は、第３サーバ制御部５３が有するプロセッサ上で実行されるプログラムによって実装される機能モジュールである。なお、処理部５３１は、独立した集積回路、マイクロプロセッサ、又はファームウェアとして第３サーバ制御部５３に実装されてもよい。
【００７２】
処理部５３１は、第３サーバ通信部５１を介して携帯端末２から位置登録要求を受信すると、受信した位置登録要求に含まれる携帯端末２の電話番号を特定し、特定した電話番号が、第３サーバ記憶部５２に記憶された加入者の電話番号に含まれるか否かを判定する。処理部５３１は、特定した電話番号が加入者の電話番号に含まれない場合、携帯端末２が携帯電話網１４に国際ローミングしていると判定し、ローミング管理テーブルに、携帯端末２の電話番号を登録し、国際ローミング番号を割り当て、国際ローミングフラグとして「True」を記憶する。
【００７３】
図７は、通信システム１の動作シーケンスの一例を示す図である。
【００７４】
なお、以下に説明する動作シーケンスは、予め端末記憶部２３、第１サーバ記憶部３３、第２サーバ記憶部４２、及び第３サーバ記憶部５２に記憶されているプログラムに基づいて、主に端末制御部２７、第１サーバ制御部３４、第２サーバ制御部４３、及び第３サーバ制御部５３により、携帯端末２、第１サーバ３、第２サーバ４、及び第３サーバ５の各要素と協働して実行される。
【００７５】
まず、携帯端末２の処理部２７１は、操作部２４を用いた利用者による指示に従って、携帯端末２が無線通信可能な無線ＬＡＮ１５に係るＥＳＳＩＤの一覧を示すＥＳＳＩＤ一覧画面を表示部２５に表示する（ステップＳ１００）。処理部２７１は、無線ＬＡＮ１５に配置された、携帯端末２と無線通信可能な各アクセスポイントが定期的に送信するビーコンフレームを無線ＬＡＮ通信部２１を介して受信し、受信した各ビーコンフレームに含まれる各ＥＳＳＩＤを一覧表示する。
【００７６】
次に、操作部２４を用いて利用者により特定のＥＳＳＩＤが選択されると、処理部２７１は、選択されたＥＳＳＩＤに対応する無線ＬＡＮ１５への接続を要求する接続要求を無線ＬＡＮ通信部２１を介して、選択されたＥＳＳＩＤに対応するアクセスポイント１３に送信する（ステップＳ１０１）。アクセスポイント１３は、携帯端末２から接続要求を受信すると、受信した接続要求を第２サーバ４に転送する。
【００７７】
図１２（ａ）は、ＥＳＳＩＤ一覧画面の一例を示す図である。
【００７８】
図１２（ａ）に示すＥＳＳＩＤ一覧画面には、携帯端末２と無線通信可能な無線ＬＡＮ１５のＥＳＳＩＤとして「0000B-FREE」１２００及び「0002B」１２０１が表示されている。利用者により「0000B-FREE」１２００が選択されると、処理部２７１は、選択された「0000B-FREE」１２００に対応する無線ＬＡＮ１５への接続を要求する接続要求を送信する。
【００７９】
第２サーバ４の第２送信部４３１は、第２サーバ通信部４１を介して携帯端末２から接続要求を受信した場合、携帯端末２に対して第１サーバ３へのアクセス方法を送信する（ステップＳ１０２）。第２送信部４３１は、無線ＬＡＮ１５への接続を要求するための特番を第２サーバ記憶部４２から読み出し、携帯電話網１４をローミング先のネットワークとして選択すること及び読み出した特番により発信することをアクセス方法として指定する。
【００８０】
携帯端末２の処理部２７１は、無線ＬＡＮ通信部２１を介して第２サーバ４からアクセス方法を受信した場合、受信したアクセス方法を示すアクセス方法画面を表示部２５に表示する（ステップＳ１０３）。
【００８１】
図１２（ｂ）は、アクセス方法画面の一例を示す図である。
【００８２】
図１２（ｂ）に示すアクセス方法画面には、パスワードを取得するための指示１２１０、携帯電話網１４をローミング先のネットワークとして選択する指示１２１１、及び指定した特番に発信する指示１２１２が表示されている。これにより、第２サーバ４は、携帯端末２の利用者に、まず携帯電話網１４をローミング先のネットワークとして選択し、指定した特番に発信することを指示する。
【００８３】
処理部２７１は、操作部２４を用いた利用者による指示に従って、ローミング先のネットワークを選択するためのネットワーク選択画面を表示する。処理部２７１は、利用者により操作部２４を用いてネットワーク選択画面内で特定のネットワークが選択されると、処理部２７１は、選択されたネットワークをローミング先のネットワークとして設定する（ステップＳ１０４）。
【００８４】
図１２（ｃ）は、ネットワーク選択画面の一例を示す図である。
【００８５】
図１２（ｃ）に示すネットワーク選択画面には、携帯端末２の事業者が国際ローミングに係る事業提携を行っている事業者の携帯電話網の一覧が選択可能に表示される。利用者により操作部２４を用いて、表示された携帯電話網の内の一つにチェックマーク１２２０が付けられると、その携帯電話網がローミング先のネットワークとして設定される。
【００８６】
次に、携帯端末２の利用者により操作部２４を用いて特番による発信が指示されると、処理部２７１は、第２サーバ４により指定されたアクセス方法による通信として、携帯電話通信部２２を介して第１サーバ３へ特番による発信を行う（ステップＳ１０５）。この発信は、ローミング先のネットワークとして設定された携帯電話網１４に向けて行われる。
【００８７】
交換機７は、携帯端末２から特番による発信を受けた場合、発信者番号通知により携帯端末２の電話番号を取得する。次に、交換機７は、携帯端末２の電話番号が、携帯電話網１４に国際ローミングされている携帯端末２の電話番号として第３サーバ５に記憶されているか否かの判定を要求する判定要求を第３サーバ５に送信する（ステップＳ１０６）。判定要求には、携帯端末２の電話番号が含まれる。
【００８８】
次に、第３サーバ５の処理部５３１は、第３サーバ通信部５１を介して交換機７から判定要求を受信すると、判定要求に含まれる携帯端末２の電話番号を抽出する。処理部５３１は、ローミング管理テーブルにおいて携帯端末２の電話番号に対応する国際ローミングフラグが「True」であるか否かにより、携帯端末２の電話番号が携帯電話網１４に国際ローミングされている携帯端末２の電話番号として第３サーバ５に記憶されているか否かを判定する（ステップＳ１０７）。次に、処理部５３１は、携帯端末２の電話番号が、携帯電話網１４に国際ローミングされている携帯端末２の電話番号として第３サーバ５に記憶されているか否かを示す判定結果を第３サーバ通信部５１を介して交換機７に送信する（ステップＳ１０８）。
【００８９】
交換機７は、第３サーバ５から判定結果を受信すると、受信した判定結果に基づいて、携帯端末２が携帯電話網１４に国際ローミングされているか否か判定する。交換機７は、携帯端末２の電話番号が、携帯電話網１４に国際ローミングされている携帯端末２の電話番号として第３サーバ５に記憶されている場合、携帯端末２が携帯電話網に国際ローミングされていると判定する。一方、交換機７は、携帯端末２の電話番号が、携帯電話網１４に国際ローミングされている携帯端末２の電話番号として第３サーバ５に記憶されていない場合、携帯端末２は携帯電話網１４の事業者と契約している加入者の携帯端末であり、国際ローミングされていないと判定する。発信者番号通知で通知される電話番号は詐称されえず、発信者本人のトレーサビリティが確保されるため、本人認証のセキュリティ性は保証される。
【００９０】
携帯端末２が国際ローミングされていないと判定された場合、交換機７は、携帯端末２が国際ローミングされていない旨を第１サーバ音声通信部３２を介して携帯端末２に音声で通知する。携帯端末２の処理部２７１は、携帯端末２が国際ローミングされていない旨を携帯電話通信部２２を介して交換機７から受信すると、その旨を音声出力部２６に音声で出力する。
【００９１】
一方、携帯端末２が国際ローミングされていると判定された場合、交換機７は、携帯端末２からの特番による発信を第１サーバに中継する（ステップＳ１０９）。すなわち、携帯端末２が国際ローミングされていると判定された場合に限り、交換機７は、携帯端末２からの特番による発信を第１サーバに中継する。第１サーバ３の第１制御部３４１は、第１サーバ音声通信部３２を介して交換機７により中継された特番による発信を受けた場合、携帯端末２が携帯電話網１４にローミングされているという条件が満たされているとみなし、携帯端末２の電話番号とともにパスワード生成要求を第１サーバ通信部３１を介して第２サーバ４に送信する（ステップＳ１１０）。
【００９２】
第２サーバ４の第２制御部４３２は、第２サーバ通信部４１を介して第１サーバ３から携帯端末２の電話番号及びパスワード生成要求を受信すると、携帯端末２の電話番号に対応するパスワードを生成する（ステップＳ１１１）。次に、第２制御部４３２は、携帯端末２の電話番号及び生成したパスワードを認証情報テーブルに記憶する（ステップＳ１１２）。次に、第２制御部４３２は、生成したパスワードを第２サーバ通信部４１を介して第１サーバ３に送信する（ステップＳ１１３）。
【００９３】
第１サーバ３の第１送信部３４２は、第１サーバ通信部３１を介して第２サーバ４からパスワードを受信すると、受信したパスワードを、第１サーバ音声通信部３２及び交換機７を介して携帯端末２に音声で通知する（ステップＳ１１４）。携帯端末２の処理部２７１は、通知されたパスワードを音声出力部２６に音声で出力する。このように、第２サーバ４は、無線ＬＡＮ１５への接続を許可するためのパスワードを第１サーバ３を介して携帯端末２に送信することにより、携帯端末２による無線ＬＡＮ１５への接続を許可するためのパスワードを有効化する。
【００９４】
次に、携帯端末２は、操作部２４を用いた利用者による操作に従って、携帯端末２の電話番号及び受信したパスワードとともに無線ＬＡＮ１５へのログイン要求を無線ＬＡＮ通信部２１を介して第２サーバ４に送信する（ステップＳ１１５）。
【００９５】
第２サーバ４の第２送信部４３１は、第２サーバ通信部４１を介して携帯端末２から電話番号、パスワード及びログイン要求を受信すると、受信した電話番号及びパスワードと認証情報テーブルに記憶した電話番号及びパスワードとが一致するか否かに基づいて携帯端末２を認証する（ステップＳ１１６）。第２制御部４３２は、携帯端末２の認証に成功すると、認証に成功した電話番号及びパスワードの登録要求を第２サーバ通信部４１を介して認証サーバ６に送信する（ステップＳ１１７）。また、第２制御部４３２は、その電話番号及びパスワードを認証情報テーブルから削除する。認証サーバ６は、電話番号及びパスワードの登録要求を第２サーバ４から受信すると、その電話番号及びパスワードを登録し、所定期間（例えば、二週間）有効化する。
【００９６】
認証サーバ６において電話番号及びパスワードが有効化されている間、携帯端末２は、携帯端末２の電話番号及びパスワードを用いて、インターネット１６に接続することができる。
【００９７】
以上説明してきたように、通信システム１は、携帯端末２が携帯電話網１４に国際ローミングされている場合に無線ＬＡＮ１５への接続を許可するため、携帯電話網１４に国際ローミングしている携帯端末２の利用者は、第２サーバ４から通知された特番による発信を行うだけで、容易に無線ＬＡＮ１５を使用できるようになる。
【００９８】
また、無線ＬＡＮ１５への接続を所望する利用者は、携帯電話網１４に優先的に国際ローミングを行うため、携帯電話網１４の事業者は、国際ローミングの利用者を増大させることが可能となる。
【００９９】
（第２実施形態）
図８は、第２実施形態における通信システム１の概略を説明するための模式図である。第２実施形態における通信システム１の構成は、第１実施形態における通信システム１の構成と同様である。
【０１００】
まず、携帯端末２は、第２サーバ４に接続要求を送信し、第２サーバ４からの携帯端末２の電話番号の取得要求に応じて、携帯端末２の電話番号を第２サーバに送信する（１）。第２サーバ４は、受信した電話番号に対応するパスワードを生成し、携帯端末２に対して第１サーバ３へのアクセス方法とともに、受信した電話番号及び生成したパスワードを送信する（２）。第２実施形態では、第１実施形態と同様に、第１サーバ３へのアクセス方法は、携帯端末２から第１サーバ３への特番による発信である。次に、携帯端末２は、第１サーバ３への特番による発信を行う（３）。
【０１０１】
次に、交換機７は、携帯端末２から特番による発信を受けた場合、判定要求を第３サーバ５に送信し、第３サーバ５は、判定結果を第１サーバ３に送信する（４）。交換機７は、第３サーバ５から受信した判定結果に基づいて、携帯端末２が携帯電話網１４に国際ローミングされているか否かを判定する。交換機７は、携帯端末２が携帯電話網１４に国際ローミングされていると判定された場合、携帯端末２からの特番による発信を第１サーバ３に中継する（５）。
【０１０２】
次に、第１サーバ３は、交換機７により中継された特番による発信を受けた場合、携帯端末２が携帯電話網１４にローミングされているという条件が満たされているとみなし、携帯端末２の電話番号とともに、その電話番号の照合を要求する照合要求を第２サーバ４に送信する（６）。
【０１０３】
第２サーバ４は、第１サーバ３から、携帯端末２の電話番号及び照合要求を受信した場合、第１サーバ３から受信した携帯端末２の電話番号と、携帯端末２から受信していた電話番号とを照合する。第２サーバ４は、第１サーバ３から受信した携帯端末２の電話番号と、携帯端末２から受信していた電話番号が一致し、電話番号の照合に成功した場合、その電話番号及び携帯端末２にアクセス方法とともに送信したパスワードを認証サーバ６に登録し、パスワードを有効化する（７）。次に、第２サーバ４は、電話番号の照合結果を第１サーバ３に送信する（８）。
【０１０４】
次に、第１サーバ３は、電話番号の照合結果を、交換機７を介して携帯端末２に音声通知する（９）。第１サーバ３は、電話番号の照合に成功した場合、携帯端末２に送信していたパスワードを有効化した旨を携帯端末２に音声通知する。これにより、以後、携帯端末２は、認証サーバ６に登録された電話番号及びパスワードを用いて、無線ＬＡＮ１５に接続することができる。
【０１０５】
第２実施形態においても、第１実施形態と同様に、携帯電話網に国際ローミングしている携帯端末２は、第２サーバ４から通知された特番に対して通話するだけで、容易に無線ＬＡＮ１５を使用することができるようになる。
【０１０６】
図９は、第２実施形態における通信システム１の動作シーケンスの一例を示す図である。
【０１０７】
なお、以下に説明する動作シーケンスは、予め端末記憶部２３、第１サーバ記憶部３３、第２サーバ記憶部４２、及び第３サーバ記憶部５２に記憶されているプログラムに基づいて、主に端末制御部２７、第１サーバ制御部３４、第２サーバ制御部４３、及び第３サーバ制御部５３により、携帯端末２、第１サーバ３、第２サーバ４、及び第３サーバ５の各要素と協働して実行される。
【０１０８】
図９のステップＳ２００〜２０１、Ｓ２０９〜２１４は、図７のステップＳ１００〜１０１、Ｓ１０４〜１０９と同様であるため、説明を省略し、以下では、ステップＳ２０２〜Ｓ２０８、Ｓ２１５〜Ｓ２１９について説明する。
【０１０９】
第２サーバ４の第２送信部４３１は、第２サーバ通信部４１を介して携帯端末２から接続要求を受信した場合、携帯端末２の電話番号の取得要求を第２サーバ通信部４１を介して携帯端末２に送信する（ステップＳ２０２）。なお、第２送信部４３１は、利用者に携帯端末２の電話番号を入力させるための電話番号入力画面を表示するためのデータを、電話番号の取得要求として送信してもよい。
【０１１０】
携帯端末２の処理部２７１は、無線ＬＡＮ通信部２１を介して第２サーバ４から電話番号の取得要求を受信した場合、電話番号入力画面を表示部２５に表示する（ステップＳ２０３）。操作部２４を用いて利用者により電話番号が入力されると、処理部２７１は、入力された電話番号を、無線ＬＡＮ通信部２１を介して第２サーバ４に送信する（ステップＳ２０４）。
【０１１１】
図１３（ａ）は、電話番号入力画面の一例を示す図である。
【０１１２】
図１３（ａ）では、電話番号入力フォーム１３００及びＩＤ／パスワード取得ボタン１３０１が表示されている。操作部２４を用いて利用者により、電話番号入力フォーム１３００に電話番号が入力され、ＩＤ／パスワード取得ボタン１３０１が押下されると、入力された電話番号が第２サーバ４に送信される。
【０１１３】
第２サーバ４の第２制御部４３２は、第２サーバ通信部４１を介して、携帯端末２から電話番号を受信すると、受信した電話番号に対応するパスワードを生成する（ステップＳ２０５）。次に、第２制御部４３２は、電話番号及びパスワードを認証情報テーブルに記憶する（ステップＳ２０６）。この電話番号は、携帯端末２の識別情報として用いられる。次に、第２送信部４３１は、携帯端末２に対して第１サーバ３へのアクセス方法とともに、受信した電話番号及び生成したパスワードを送信する（ステップＳ２０７）。第１サーバ３へのアクセス方法は、第１実施形態と同様である。
【０１１４】
携帯端末２の処理部２７１は、無線ＬＡＮ通信部２１を介して第２サーバ４からアクセス方法を受信した場合、受信したアクセス方法を示すアクセス方法画面を表示部２５に表示する（ステップＳ２０８）。
【０１１５】
図１３（ｂ）は、アクセス方法画面の一例を示す図である。
【０１１６】
図１３（ｂ）に示すアクセス方法画面には、パスワードを取得するための指示１３１０、携帯電話網１４をローミング先のネットワークとして選択する指示１３１１、及び指定した特番に発信する指示１３１２が表示され、さらにＩＤ／パスワード１３１３として第２サーバ４から受信した電話番号及びパスワードが表示されている。これにより、携帯端末２の利用者は、利用可能なＩＤ／パスワードを認識することができる。
【０１１７】
一方、ステップＳ２１５において、第１サーバ３の第１送信部３４２は、携帯端末２の電話番号とともに、その電話番号の照合を要求する照合要求を第２サーバ通信部４１を介して第２サーバ４に送信する（ステップＳ２１５）。
【０１１８】
第２サーバ４の第２制御部４３２は、第２サーバ通信部４１を介して第１サーバ３から電話番号及び照合要求を受信した場合、第１サーバ３から受信した電話番号と認証情報テーブルに記憶しておいた、携帯端末２から受信していた電話番号とを照合する（ステップＳ２１６）。
【０１１９】
第２制御部４３２は、第１サーバ３から受信した携帯端末２の電話番号と、携帯端末２から受信していた電話番号が一致し、電話番号の照合に成功した場合、その電話番号及び携帯端末２にアクセス方法とともに送信したパスワードの登録要求を第２サーバ通信部４１を介して認証サーバ６に送信する（ステップＳ２１７）。また、第２制御部４３２は、その電話番号及びパスワードを認証情報テーブルから削除する。認証サーバ６は、電話番号及びパスワードの登録要求を第２サーバ４から受信すると、その電話番号及びパスワードを登録し、所定期間、有効化する。一方、第２制御部４３２は、第１サーバ３から受信した携帯端末２の電話番号と、携帯端末２から受信していた電話番号が一致せず、電話番号の照合に失敗した場合、電話番号及びパスワードの登録を行わない。
【０１２０】
次に、第２制御部４３２は、照合結果を第２サーバ通信部４１を介して第１サーバ３に送信する（ステップＳ２１８）。第２制御部４３２は、第１サーバ３から受信した携帯端末２の電話番号と、携帯端末２から受信していた電話番号が一致し、電話番号の照合に成功した場合、照合成功を示す照合結果を第１サーバ３に送信する。一方、第２制御部４３２は、第１サーバ３から受信した携帯端末２の電話番号と、携帯端末２から受信していた電話番号が一致せず、電話番号の照合に失敗した場合、照合失敗を示す照合結果を第１サーバ３に送信する。
【０１２１】
第１サーバ３の第１送信部３４２は、照合結果を第１サーバ通信部３１を介して第２サーバ４から受信すると、照合結果を第１サーバ音声通信部３２を介して携帯端末２に音声で通知する（ステップＳ２１９）。第１送信部３４２は、照合成功を示す照合結果を受信した場合、電話番号及びパスワードを有効化した旨を通知し、携帯端末２の処理部２７１は、その旨を音声出力部２６に音声で出力する。一方、第１送信部３４２は、照合失敗を示す照合結果を受信した場合、発信した電話番号と入力された電話番号とが一致しない旨を通知し、携帯端末２の処理部２７１は、その旨を音声出力部２６に音声で出力する。
【０１２２】
以上説明してきたように、第２サーバ４が携帯端末２にアクセス方法とともにパスワードを送信しておき、後から有効化する場合も、携帯電話網１４に国際ローミングしている携帯端末２の利用者は、第２サーバ４から通知された特番による発信を行うだけで、容易に無線ＬＡＮ１５を使用できるようになる。
【０１２３】
（第３実施形態）
図１０は、第３実施形態における通信システム１の概略を説明するための模式図である。第３実施形態における通信システム１の構成は、第１実施形態における通信システム１の構成と同様である。但し、第３実施形態における通信システム１では、第１サーバ３は、ウェブサーバ等の配信サーバである。
【０１２４】
まず、携帯端末２は、第２サーバ４に接続要求を送信し、第２サーバ４からの携帯端末２の電話番号の取得要求に応じて、携帯端末２の電話番号を第２サーバに送信する（１）。第２サーバ４は、受信した電話番号に対応するパスワードを生成し、携帯端末２に対して第１サーバ３へのアクセス方法とともに、受信した電話番号及び生成したパスワードを送信する（２）。第３実施形態では、第１サーバ３へのアクセス方法は、携帯端末２から第１サーバ３に対応した所定のＵＲＬへのアクセスである。次に、携帯端末２は、アクセス方法に指定されたＵＲＬへアクセスし、第１サーバ３からの携帯端末２の電話番号の取得要求に応じて、携帯端末２の電話番号を第１サーバ３に送信する（３）。
【０１２５】
次に、第１サーバ３は、携帯端末２からＵＲＬへのアクセスを受けた場合、判定要求を第３サーバ５に送信し、第３サーバ５は、判定結果を第１サーバ３に送信する（４）。第１サーバ３は、第１サーバ３から受信した判定結果に基づいて、携帯端末２が携帯電話網１４に国際ローミングされているか否かを判定する。第１サーバ３は、携帯端末２が携帯電話網１４に国際ローミングされていると判定された場合、携帯端末２の電話番号とともに、その電話番号の照合を要求する照合要求を第２サーバ４に送信する（５）。このように、第１サーバ３は、携帯端末２が携帯電話網１４にローミングされていることを条件に、携帯端末２の電話番号とともにその電話番号の照合を要求する照合要求を第２サーバ４に送信する。
【０１２６】
第２サーバ４は、第１サーバ３から、携帯端末２の電話番号及び照合要求を受信した場合、第１サーバ３から受信した携帯端末２の電話番号と、携帯端末２から受信していた電話番号とを照合する。第２サーバ４は、第１サーバ３から受信した携帯端末２の電話番号と、携帯端末２から受信していた電話番号が一致し、電話番号の照合に成功した場合、その電話番号及び携帯端末２にアクセス方法とともに送信したパスワードを認証サーバ６に登録し、パスワードを有効化する（６）。次に、第２サーバ４は、電話番号の照合結果を第１サーバ３に送信する（７）。
【０１２７】
次に、第１サーバ３は、電話番号の照合結果を携帯端末２に送信する（８）。第１サーバ３は、電話番号の照合に成功した場合、携帯端末２に送信していたパスワードを有効化した旨を携帯端末２に送信する。これにより、以後、携帯端末２は、認証サーバ６に登録された電話番号及びパスワードを用いて、無線ＬＡＮ１５に接続することができる。
【０１２８】
第３実施形態では、携帯電話網に国際ローミングしている携帯端末２は、第２サーバ４から通知されたＵＲＬにアクセスするだけで、容易に無線ＬＡＮ１５を使用することができるようになる。
【０１２９】
上記したように、第３実施形態における通信システム１では、第１サーバ３は、ウェブサーバ等の配信サーバであり、携帯端末２からの所定のＵＲＬへのアクセスに応じて各種情報を送信する。なお、第３実施形態では、ウェブサーバ等の配信サーバを第１サーバの一例として説明するが、これに限定されるものではない。また、携帯端末の電話番号を携帯端末の識別情報の一例として説明するが、これに限定されるものではない。携帯端末の識別情報は、携帯端末をユニークに特定する情報であれば、どのような情報でもよく、例えば、携帯端末の識別情報は、端末ＩＤ、携帯端末のＳＩＭカードＩＤ等でもよい。
【０１３０】
また、第２サーバ４は、第２サーバ記憶部４２に、データとして、無線ＬＡＮ１５への接続を要求するためのＵＲＬを記憶する。このＵＲＬは、第１サーバ３に対応しており、第１サーバ３にアクセスするためのアドレスを示している。
【０１３１】
図１１は、第３実施形態における通信システム１の動作シーケンスの一例を示す図である。
【０１３２】
なお、以下に説明する動作シーケンスは、予め端末記憶部２３、第１サーバ記憶部３３、第２サーバ記憶部４２、及び第３サーバ記憶部５２に記憶されているプログラムに基づいて、主に端末制御部２７、第１サーバ制御部３４、第２サーバ制御部４３、及び第３サーバ制御部５３により、携帯端末２、第１サーバ３、第２サーバ４、及び第３サーバ５の各要素と協働して実行される。
【０１３３】
図１１のステップＳ３００〜Ｓ３０６、Ｓ３０９、Ｓ３１７〜Ｓ３１９は、それぞれ図９のステップＳ２００〜Ｓ２０６、Ｓ２０９、Ｓ２１６〜Ｓ２１７と同様の動作シーケンスであるため、説明を省略し、以下では、ステップＳ３０７〜Ｓ３０８、Ｓ３１０〜Ｓ３１６、Ｓ３２０について説明する。
【０１３４】
一方、ステップＳ３０７において、第２サーバ４の第２送信部４３１は、携帯端末２に対して第１サーバ３へのアクセス方法とともに、受信した電話番号及び生成したパスワードを送信する（ステップＳ３０７）。第２送信部４３１は、無線ＬＡＮ１５への接続を要求するためのＵＲＬを第２サーバ記憶部４２から読み出し、携帯電話網１４をローミング先のネットワークとして選択すること及び読み出したＵＲＬにアクセスすることをアクセス方法として指定する。
【０１３５】
携帯端末２の処理部２７１は、無線ＬＡＮ通信部２１を介して第２サーバ４からアクセス方法を受信した場合、受信したアクセス方法を示すアクセス方法画面を表示部２５に表示する（ステップＳ３０８）。
【０１３６】
図１４（ａ）は、アクセス方法画面の一例を示す図である。
【０１３７】
図１４（ａ）に示すアクセス方法画面には、パスワードを取得するための指示１４００、携帯電話網１４をローミング先のネットワークとして選択する指示１４０１、及び指定したＵＲＬにアクセスする指示１４０２が表示され、さらにＩＤ／パスワード１４０３として第２サーバ４から受信した電話番号及びパスワードが表示されている。
【０１３８】
一方、ステップＳ３１０において、携帯端末２の利用者により操作部２４を用いて、アクセス方法において指定されたＵＲＬへのアクセスが指示されると、処理部２７１は、第２サーバ４により指定されたアクセス方法による通信として、携帯電話通信部２２を介して指定されたＵＲＬへのアクセスを行う（ステップＳ３１０）。このアクセスは、ローミング先のネットワークとして設定された携帯電話網１４に向けて行われる。
【０１３９】
第１サーバ３の第１制御部３４１は、第１サーバ音声通信部３２を介して携帯端末２からのＵＲＬへのアクセスを受けた場合、携帯端末２の電話番号の取得を要求する電話番号要求を第１サーバ音声通信部３２を介して携帯端末２に送信する（ステップＳ３１１）。携帯端末２の処理部２７１は、携帯電話通信部２２を介して第１サーバ３から電話番号要求を受信すると、端末記憶部２３から携帯端末２の電話番号を読み取り、読み取った電話番号を携帯電話通信部２２を介して第１サーバ３に送信する（ステップＳ３１２）。
【０１４０】
次に、第１サーバ３の第１制御部３４１は、携帯端末２の電話番号が、携帯電話網１４に国際ローミングされている携帯端末２の電話番号として第３サーバ５に記憶されているか否かの判定を要求する判定要求を第３サーバ５に送信する（ステップＳ３１３）。判定要求には、携帯端末２の電話番号が含まれる。
【０１４１】
次に、第３サーバ５の処理部５３１は、第３サーバ通信部５１を介して第１サーバ３から判定要求を受信すると、判定要求に含まれる携帯端末２の電話番号を抽出する。処理部５３１は、ローミング管理テーブルにおいて携帯端末２の電話番号に対応する国際ローミングフラグが「True」であるか否かにより、携帯端末２の電話番号が携帯電話網１４に国際ローミングされている携帯端末２の電話番号として第３サーバ５に記憶されているか否かを判定する（ステップＳ３１４）。次に、処理部５３１は、携帯端末２の電話番号が、携帯電話網１４に国際ローミングされている携帯端末２の電話番号として第３サーバ５に記憶されているか否かを示す判定結果を第３サーバ通信部５１を介して第１サーバ３に送信する（ステップＳ３１５）。
【０１４２】
第１サーバ３の第１制御部３４１は、第３サーバ５から判定結果を受信すると、受信した判定結果に基づいて、携帯端末２が携帯電話網１４に国際ローミングされているか否か判定する。第１制御部３４１は、携帯端末２の電話番号が、携帯電話網１４に国際ローミングされている携帯端末２の電話番号として第３サーバ５に記憶されている場合、携帯端末２が携帯電話網１４に国際ローミングされていると判定する。一方、第１制御部３４１は、携帯端末２の電話番号が、携帯電話網１４に国際ローミングされている携帯端末２の電話番号として第３サーバ５に記憶されていない場合、携帯端末２は携帯電話網１４の事業者と契約している加入者の携帯端末であり、国際ローミングされていないと判定する。
【０１４３】
携帯端末２が国際ローミングされていないと判定された場合、第１制御部３４１は、携帯端末２が国際ローミングされていない旨を第１サーバ音声通信部３２を介して携帯端末２に送信する。携帯端末２の処理部２７１は、携帯端末２が国際ローミングされていない旨を携帯電話通信部２２を介して第１サーバ３から受信すると、その旨（不図示）を表示部２５に出力する。
【０１４４】
一方、携帯端末２が国際ローミングされていると判定された場合、第１送信部３４２は、携帯端末２の電話番号とともに、その電話番号の照合を要求する照合要求を第２サーバ通信部４１を介して第２サーバ４に送信する（ステップＳ３１６）。この電話番号は、第２サーバ４によって照合され、認証サーバ６に登録される。
【０１４５】
一方、ステップＳ３２０において、第１サーバ３の第１送信部３４２は、照合結果を第１サーバ通信部３１を介して第２サーバ４から受信すると、照合結果を第１サーバ音声通信部３２を介して携帯端末２に送信する（ステップＳ３２０）。携帯端末２の処理部２７１は、受信した照合結果を示す照合結果画面を表示部２５に表示する。
【０１４６】
図１４（ｂ）は、照合失敗時の照合結果画面の一例を示す図である。
【０１４７】
図１４（ｂ）に示す照合結果画面には、読み取られた電話番号と入力された電話番号とが一致しなかった旨１４１０が表示されている。
【０１４８】
図１４（ｃ）は、照合成功時の照合結果画面の一例を示す図である。
【０１４９】
図１４（ｃ）に示す照合結果画面には、電話番号及びパスワードを有効化した旨１４２０が表示されている。
【０１５０】
以上説明してきたように、第３実施形態では、携帯電話網１４に国際ローミングしている携帯端末２の利用者は、第２サーバ４から通知されたＵＲＬへアクセスするだけで、容易に無線ＬＡＮ１５を使用できるようになる。
【０１５１】
なお、第３実施形態においても、第１実施形態と同様に、携帯端末２が携帯電話網１４にローミングされていると判定されたときに、第２サーバ４が第１サーバ３を介して携帯端末２にパスワードを送信してもよい。
【０１５２】
なお、第１〜第３実施形態では、無線ＬＡＮ１５が一つである例について説明したが、事業者が異なる複数の無線ＬＡＮが存在し、複数の無線ＬＡＮ毎に第２サーバ４及び認証サーバ６が配置されてもよい。その場合、第１、第２実施形態において、特番は、複数の無線ＬＡＮ毎に異なるように設定される。第１サーバ３は、携帯端末から発信された特番に応じた第２サーバ４に携帯端末２の電話番号及びパスワード生成要求を送信する。また、第３実施形態において、ＵＲＬは、複数の無線ＬＡＮ毎に異なるように設定される。第１サーバ３は、携帯端末からアクセスされたＵＲＬに応じた第２サーバ４に携帯端末２の電話番号及びパスワード生成要求を送信する。これらにより、事業者が異なる複数の無線ＬＡＮに対して、本発明を適用することが可能となり、各事業者は本発明を利用することができる。
【０１５３】
また、認証サーバ６は、無線ＬＡＮ１５内に配置するのではなく、携帯電話網１４内に配置してもよい。その場合、認証サーバ６は、第２通信ネットワーク１８又は第３通信ネットワーク１９と通信可能に配置される。第２サーバ４の第２制御部４３２は、電話番号及びパスワードの登録要求を第２通信ネットワーク１８又は第３通信ネットワーク１９を介して携帯電話網１４内に配置された認証サーバ６に送信する。これにより、事業者が異なる複数の無線ＬＡＮが存在する場合でも、各無線ＬＡＮは、一つの認証サーバ６を共有でき、認証サーバに要するコストを低減することができる。
【０１５４】
また、第１〜第３実施形態では、第１サーバ３は、携帯電話網１４内に配置されていないものとしたが、携帯電話網１４内に配置されてもよい。同様に、第２サーバ４は、無線ＬＡＮ１５内に配置されていないものとしたが、無線ＬＡＮ１５内に配置されてもよい。
【０１５５】
また、第１〜第２実施形態では、交換機７が、携帯端末２が携帯電話網１４にローミングされているか否かを判定したが、第１サーバ３が、携帯端末２が携帯電話網１４にローミングされているか否かを判定してもよい。その場合、第１サーバ３は、携帯端末２の電話番号が、携帯電話網１４に国際ローミングされている携帯端末２の電話番号として第３サーバ５に記憶されているか否かの判定を要求する判定要求を第３サーバ５に送信する。第３サーバ５は、携帯端末２の電話番号が、携帯電話網１４に国際ローミングされている携帯端末２の電話番号として第３サーバ５に記憶されているか否かを示す判定結果を第１サーバ３に送信する。第１サーバ３は、第３サーバ５から受信した判定結果に基づいて、携帯端末２が携帯電話網１４に国際ローミングされているか否かを判定する。
【０１５６】
なお、通信システム１において第３サーバ５を省略し、第１サーバ３は、携帯端末２が携帯電話網１４に国際ローミングされているか否かを第１サーバ３に記憶された情報に基づいて判定してもよい。その場合、第１サーバ３は、第１サーバ記憶部３３に、携帯電話網１４の事業者と契約している全ての加入者が利用する携帯端末の電話番号を記憶しておく。第１サーバ３の第１制御部３４１は、携帯端末２から取得した携帯端末２の電話番号が、第１サーバ記憶部３３に記憶された加入者の電話番号に含まれるか否かを判定する。第１制御部３４１は、携帯端末２の電話番号が加入者の電話番号に含まれない場合、携帯端末２が携帯電話網１４に国際ローミングしていると判定し、携帯端末２の電話番号が加入者の電話番号に含まれる場合、携帯端末２が携帯電話網１４に国際ローミングしていないと判定する。
【０１５７】
また、第３実施形態では、第１サーバ３は、携帯端末２が携帯電話網１４に国際ローミングされていない場合でも携帯端末２からのＵＲＬへのアクセスを受けたが、第１サーバ３は、携帯端末２が携帯電話網１４に国際ローミングされている場合に限り、携帯端末２からのＵＲＬへのアクセスを、中継サーバ（不図示）を介して受けてもよい。その場合、携帯端末２からのＵＲＬへのアクセスを受けた中継サーバが、携帯端末２が携帯電話網１４に国際ローミングされているか否かを判定し、携帯端末２が携帯電話網１４に国際ローミングされている場合、携帯端末２からのＵＲＬへのアクセスを第１サーバ３に中継する。第１サーバ３は、中継サーバにより中継されたＵＲＬへのアクセスを受けた場合、携帯端末２が携帯電話網１４にローミングされているという条件が満たされているとみなし、携帯端末２の電話番号とともに、その電話番号の照合を要求する照合要求を第２サーバ４に送信する。
【０１５８】
また、第１〜第３実施形態では、携帯端末２は、携帯電話網１４に国際ローミングされている場合に、無線ＬＡＮ１５を使用可能になるものとしたが、国内ローミング（国内の事業者間のローミング）がされている場合にも、無線ＬＡＮ１５を使用可能になるものとしてもよい。その場合、携帯端末２は、国番号を含まない電話番号によって識別される。
【０１５９】
また、端末制御部２７、第１サーバ制御部３４、第２サーバ制御部４３、及び第３サーバ制御部５３が備える各機能をコンピュータに実現させるためのコンピュータプログラムは、磁気記録媒体、光記録媒体等のコンピュータにより読み取り可能な記録媒体に記憶された形で提供されてもよい。
【０１６０】
当業者は、本発明の精神及び範囲から外れることなく、様々な変更、置換及び修正をこれに加えることが可能であることを理解されたい。
【符号の説明】
【０１６１】
１    通信システム
２    携帯端末
３    第１サーバ
３４１    第１制御部
３４２    第１送信部
４    第２サーバ
４３１    第２送信部
４３２    第２制御部
５    第３サーバ
【要約】
【課題】本発明は、携帯端末２の利用者が容易に無線ＬＡＮ１５へ接続できるようにする通信システム１等を提供することを目的とする。
【解決手段】本発明に係る接続方法は、第２サーバ４が、携帯端末２から無線ＬＡＮ１５への接続を要求された場合に、携帯端末２に対して第１サーバ３へのアクセス方法を送信し、第１サーバ３が、携帯端末２からアクセス方法による通信を受信した場合に、携帯端末が携帯電話網にローミングされていることを条件に、携帯端末２の識別情報を第２サーバ４に送信し、第２サーバ４が、第１サーバ３から携帯端末２の識別情報を受信した場合に、携帯端末２による無線ＬＡＮ１５への接続を許可するためのパスワードを有効化することを含む。
【選択図】図１【図１】
0005819017.tif 000002
【図２】
0005819017.tif 000003
【図３】
0005819017.tif 000004
【図４】
0005819017.tif 000005
【図５】
0005819017.tif 000006
【図６】
0005819017.tif 000007
【図７】
0005819017.tif 000008
【図８】
0005819017.tif 000009
【図９】
0005819017.tif 000010
【図１０】
0005819017.tif 000011
【図１１】
0005819017.tif 000012
【図１２】
0005819017.tif 000013
【図１３】
0005819017.tif 000014
【図１４】
0005819017.tif 000015